(57)【要約】 【課題】  払い出し装置と回収タンクの位置関係などの点において複数の機種に対して互換性のある回胴式の遊技機用の回収タンクを提供する。【解決手段】  払い出し装置（４）からオーバフローした遊技媒体を回収する回収タンク（５）に、払い出し装置と回収タンクの垂直方向の位置関係を調整する垂直方向位置調整部（６）として、前記回収タンクのタンク本体（５１）を収容するアウターケース（５２）に前記タンク本体を高さ調整可能に係合する係合構造を有する。垂直方向位置調整部により、払い出し装置と回収タンクの位置が垂直方向で異なる機種について、垂直方向の位置関係を調整することにより、回収タンクを共通化することができ、払い出し装置から搬出された遊技媒体を確実に回収タンク内に搬入することができる。【選択図】        図１
2005143683.tif 000002
【特許請求の範囲】
【請求項１】
払い出し装置からオーバフローした遊技媒体を回収する遊技機用の回収タンクであって、
前記回収タンクは前記払出し装置との垂直方向の位置関係を調整する垂直方向位置調整部を有し、
前記垂直方向位置調整部は、前記回収タンクのタンク本体を収容するアウターケースに前記タンク本体を高さ調整可能に係合する係合構造を備え、
前記係合構造は、アウターケースに対するタンク本体の収容方向に沿って前記アウターケースに形成されたガイドと、タンク本体にその高さ方向に複数離間形成され前記ガイドに載置されて摺接可能なスライダとを有し、前記ガイドとスライダには摺接するスライダをガイドから離脱させる切欠部が相互に形成され、前記アウターケースから非分離状態でタンク本体の高さ位置を調整可能とすることを特徴とする遊技機用の回収タンク。
【請求項２】
払い出し装置からオーバフローした遊技媒体を回収する遊技機用の回収タンクであって、
前記回収タンクは前記払出し装置との垂直方向の位置関係を調整する垂直方向位置調整部を有し、
前記垂直方向位置調整部は、前記回収タンクのタンク本体を収容するアウターケースに前記タンク本体を高さ調整可能に係合する係合構造を備え、
前記係合構造は、前記アウターケースに対するタンク本体の収容方向に沿って前記アウターケースにその高さ方向に複数離間形成されたガイドと、タンク本体に形成され前記ガイドに載置されて摺接可能なスライダと有し、前記ガイドとスライダには摺接するスライダをガイドから離脱させる切欠部が相互に形成され、前記アウターケースから非分離状態でタンク本体の高さ位置を調整可能とすることを特徴とする遊技機用の回収タンク。
【請求項３】
請求項１又は２において、前記ガイドは前記アウターケースの両内側壁に形成された突状片であり、前記スライダは前記タンク本体の両外側壁に形成された突状片であることを特徴とする遊技機用の回収タンク。
【請求項４】
請求項１乃至３の何れか１項において、前記アウターケースは、払出し装置からオーバフローされた遊技媒体の飛出し方向側の側壁に衝止片を有することを特徴とする遊技機用の回収タンク。
【請求項５】
請求項１乃至４の何れか１項において、前記アウターケースの前面に回収タンク本体の挿入口を形成するとともに、該挿入口に開閉する開閉扉とを設けたことを特徴とする遊技機用の回収タンク。
【請求項６】
請求項５において、前記開閉扉は、常時、回収タンク本体の挿入口を塞ぐ方向に付勢されていることを特徴とする遊技機用の回収タンク。
【発明の詳細な説明】
【技術分野】
【０００１】
本発明は、スロットマシンやパチスロ機等に代表される回胴式の遊技機用の回収タンクに関する。
【背景技術】
【０００２】
一般的に、回胴式の遊技機では、遊技者による遊技媒体（例えばメダル、以下代表してメダルとも称する）の賭数設定およびスタート操作があると、外周に図柄列が描かれた例えば三つのリール部を回転させて図柄の可変表示を開始し、その後のストップ操作に応じて各リール部の回転を停止させ、その停止時における表示図柄によって遊技結果を決定する。そして、各リール部の表示図柄が所定の組合せに並ぶと入賞となり、遊技者に対して、設定された賭数および入賞内容に応じた枚数の遊技媒体を払い出すようになっている。
【０００３】
ところで、これらの、一般的な回胴式の遊技機には、設定された賭数および入賞内容に応じた枚数のメダルを払い出すが、払い出したメダルの数以上に投入されたメダルが多くなると、該メダルは、払い出し装置からオーバフローする。このため、オーバフローしたメダルを回収するための回収タンクが設けられている。例えば、特許文献１に記載されている遊技機では、ホッパーユニット（該文献参照符号１６）に予め貯留されたメダルとメダル投入口（該文献参照符号５３０）から投入されホッパーユニットに貯留されたメダルの双方が払い出しに利用される。
【０００４】
このホッパーユニットは、メダルを貯留するホッパータンク（該文献参照符号１８１）と、該ホッパータンクの下部に位置してメダルを一列に整列させて放出するホッパー（該文献参照符号１８６）と、該ホッパーを回転駆動するモータ（該文献参照符号１８２）とが支持台（該文献参照符号１８７）に固定されている。一方、オーバフローしたメダルを回収するためのオーバフロータンク（該文献参照符号１８）は、このホッパーユニット（該文献参照符号１６）に隣設して配設されている。そして、前記ホッパータンクには、オーバフローレール（該文献参照符号１８４）と当該オーバフローレールに連通するオーバフロー接続樋（該文献参照符号１８５）が固定されている。
【０００５】
前記ホッパータンクに貯留されているメダルは、払い出すメダルより、投入されるメダルの数が多くなると前記ホッパータンク内のメダルが増加し、遂には前記ホッパータンクから溢れる結果となる。この溢れたメダルは、前記オーバフローレールに連通する前記オーバフロー接続樋を介して前記オーバフロータンクに貯留される。前記オーバフロータンクに貯留されたメダルが一定量に達するとセンサー等で外部に通知し、関係者によりメダルが搬出される。この搬出方法は、島台に設置される自動循環補給装置によって行われる場合もある。この場合は、メダルは前記オーバフロータンクの底面に形成された開口を介して搬出される。
【０００６】
【特許文献１】特開２００１−２１２２８２号公報（段落００９４乃至００９８並びに図２１乃至図２５）
【発明の開示】
【発明が解決しようとする課題】
【０００７】
しかしながら、従来の回胴式の遊技機に用いられている前記オーバフロータンクは、支持台（該文献参照符号１８７）に固定されている前記ホッパーユニットと、前記ホッパータンクと、前記オーバフローレールと、前記オーバフロー接続樋との位置関係、また、フルセンサ（該文献参照符号１４０ａ、１４０ｂ）の位置関係から遊技機の一定位置に配置される必要があった。このため、前記ホッパーユニットからメダルをスムースに且つ確実に前記オーバフロータンクに搬入出するためには、前記オーバフロータンクを前記ホッパーユニットと前記オーバフロータンクの位置関係を考慮して、その機種毎に最適になるよう配置する必要があった。このため、前記オーバフロータンクを機種専用部品として製作する傾向にあった。従って、複数の機種にオーバフロータンクを共有して使用することが困難となり、機種間での互換性もなく、コストアップの要因になっていた。特に、メダルの自動循環補給装置が付設されている場合には、その接続位置の調節も含めた形式の専用部品が必要となり、更なるコストアップ要因となっていた。
【０００８】
更に、前記ホッパータンクと前記オーバフロータンクを連通させている前記オーバフローレールと前記オーバフロー接続樋は、前記ホッパータンクから搬出されたメダルが前記オーバフロータンクから飛出さないように当該オーバフロータンクの長手方向に向けて形成する必要があり、このために前記オーバフロー接続樋が長くしかも複雑な形状となる場合があった。
【０００９】
本発明の目的は、払い出し装置と回収タンクの垂直位置関係の点において複数の機種に対して互換性のある回胴式の遊技機用の回収タンクを提供することにある。
【００１０】
本発明の前記並びにその他の目的と新規な特徴は本明細書の記述及び添付図面から明らかになるであろう。
【課題を解決するための手段】
【００１１】
〔１〕本発明に係る遊技機用の回収タンクは、払い出し装置からオーバフローした遊技
払い出し装置と回収タンクの垂直方向の位置関係を調整する垂直方向位置調整部を有する。前記垂直方向位置調整部は、前記回収タンクのタンク本体を収容するアウターケースに前記タンク本体を高さ調整可能に係合する係合構造を有する。前記垂直方向位置調整部に形成された前記係合構造としては、アウターケースに対するタンク本体の収容方向に沿って前記アウターケースに形成されたガイドと、タンク本体にその高さ方向に複数離間形成され前記ガイドに載置されて摺接可能なスライダとを有し、前記ガイドとスライダには摺接するスライダをガイドから離脱させる切欠部が相互に形成され、前記アウターケースから非分離状態でタンク本体の高さ位置を調整可能とする。これにより、回収タンクの回収タンク本体とアウターケースの相互関係のみで垂直方向の位置調整を容易に行うことができる。垂直方向位置調整部を、回収タンク本体とアウターケースの製造時に製作することができ、製作工程を増加させる必要は無く、製造コストの増加を防ぐことができる。更に、前記アウターケースから非分離状態でタンク本体の高さ位置を調整可能であるから、高さ調整に対する良好な操作性を実現することができる。
【００１２】
前記垂直方向位置調整部に形成された係合構造の別の形態として、前記スライダに代えてガイドを複数離間形成してもよい。すなわち、前記アウターケースに対するタンク本体の収容方向に沿って前記アウターケースにその高さ方向に複数離間形成されたガイドと、タンク本体に形成され前記ガイドに載置されて摺接可能なスライダと有し、前記ガイドとスライダには摺接するスライダをガイドから離脱させる切欠部を相互に形成し、前記アウターケースから非分離状態でタンク本体の高さ位置を調整可能とすることも可能である。これによっても上記同様に、垂直方向位置調整部を回収タンク本体とアウターケースの製造時に製作することができ、更に、タンク本体の高さ位置調整に対する良好な操作性を実現することができる。
【００１３】
本発明の更に具体的な形態として、前記ガイドは前記アウターケースの両内側壁に形成された突状片とし、前記スライダは前記タンク本体の両外側壁に形成された突状片としてよい。ガイド及びスライダの構成が簡単になる。
前記アウターケースは、払い出し装置からオーバフローされた遊技媒体の飛出し方向側の側壁に衝止片を有することが望ましい。この衝止片により、払い出し装置から搬出された遊技媒体が回収タンク本体を超えて外側に散乱することを防止することが可能となる。
【００１４】
本発明の更に具体的な形態として、前記アウターケースの前面に回収タンク本体の挿入口を形成するとともに、該挿入口に開閉する開閉扉とを設けることが望ましい。この開閉扉により、アウターケースに対して簡単に回収タンク本体の出し入れができ、垂直方向の位置調整を容易行うことができる。
【００１５】
前記開閉扉は、常時、回収タンク本体の挿入口を塞ぐ方向に付勢されているのがよい。付勢されていれば、回収タンクがアウターケースから離脱するようなことが生じることや払い出し装置から搬出された遊技媒体が回収タンク本体の挿入口から外部に散乱するようなこともない。
【発明の効果】
【００１６】
本発明によれば、払い出し装置と回収タンクとの高さ質位置関係を調節することができる。よって、払い出し装置と回収タンクの高さ位置が異なる複数の遊技機にも対応でき、しかも外部の遊技媒体回収装置の有無に拘らず回収タンクを共通化することができる。更に、払い出し装置のノズルを回収タンクに近設させることができるのでノズルを最短に形成することができ、払い出し装置から搬出された遊技媒体を回収タンク内部に確実に搬入することができる。
【発明を実施するための最良の形態】
【００１７】
図１は本発明に係る回収タンクを備えた遊技機における各装置の配置を例示した正面図、図２は本発明の本発明の回収タンクを備えた遊技機における主要構成部品の配置を示した側面概略図である。
【００１８】
本発明の回収タンク５を備えた遊技機（例えば、スロットマシン）１００は、筐体１と筐体１の前面開放側に開閉可能に枢支された前面扉２と、筐体１に収納された遊技装置（３１，３２）と、払い出し装置４と、回収タンク５に設けられた位置調整機構６と島に配設された遊技媒体回収装置９とを備えている。この位置調整機構６は、垂直方向の位置を調整する垂直方向位置調整部６１とされる。
【００１９】
前記筐体１は、図１、図２に示すように底板１１と左右側板１２，１３と天板１４と背板１５を組立て、前面を開放した縦長の長四角形状に形成されている。（以下、天地、上下、左右、前後とは、遊技機の使用状態を基準として述べる）そして、筐体１の背板１５の内側上部には、主制御装置１６が取り付けられ、その下方（筐体１の上下方向ほぼ中間）には遊技装置（リール３１，リールボックス３２）がリールユニット支持枠３３を介して支持されている。また、下側には、払い出し装置４、回収タンク５、位置調整機構６が収納されている。尚、筐体１を上部筐体と下部筐体に分割或いは各々独立して形成し、その各々に遊技装置（リール３１，リールボックス３２）と払い出し装置４、回収タンク５、垂直方向位置調整部６１）を収納し、遊技機１００として組立てることも可能である。そして、底板１１の右端には遊技機１００を並設した島と島の間に備え付けられた遊技媒体回収装置９に遊技媒体１０を搬出するための排出口１１ａが穿設されている。
【００２０】
図２に示すように筐体１の前面開放側には、前面扉２が開閉可能に枢支されている。この前面扉２は、前面飾り枠２１と、該前面飾り枠２１の下側に設けられたタイトルパネル２２と、その上側に設けられた遊技パネル２３と、上端に配置された表示ランプ２４と、高さ方向の略中間右側に設けられた遊技媒体投入口２５と、下端に設けられた遊技媒体１０の受皿２６とを備えている。
【００２１】
遊技装置は、筐体１の内部に配設され、リール３１と、リールボックス３２と、図示しないが操作ボタン、遊技媒体１０の投入ボタン等遊技に必要装置を備えており、前述のリール３１と、リールボックス３２はリールユニット支持枠３３を介して筐体１の内側の背板１５に取り付けられている。
【００２２】
払い出し装置４と、回収タンク５、回収タンク５に設けられた位置調整機構６は、筐体１の下側略半分のスペースに配設されている。以下、各構成について詳述する。
【００２３】
払い出し装置４は、貯溜タンク４１と、ホッパーユニット４２と、ホッパーユニット４２を駆動するモータ４３とを備え、それらを取付けブラケット４４に組み付け、筐体１の底板１１の略中央に固定された係合レール１１ｂにスライド嵌合している。この貯溜タンク４１には、払出し用の遊技媒体や投入された遊技媒体１０が貯溜されており、貯留された遊技媒体１０が増加して、貯留タンク４１から溢れた場合には貯溜タンク４１設けられたノズル４４を経て回収タンク５に搬出される。
【００２４】
図３には回収タンク５の正面図、図４には回収タンク５の側面図、図５には回収タンク５の上面図、図６には回収タンク５の分解斜視図が示される。
【００２５】
回収タンク５は、回収タンク本体５１と、この回収タンク本体５１を出し入れ可能に収納するアウターケース５２と、回収タンク本体５１とアウターケース５２間に設けられた垂直方向位置調整部６１を備え、通常は、回収タンク本体５１の搬入口５１ｆが払い出し装置４に設けられたノズル４５の下側に臨むように筐体１の下部右隅に配設されている。
【００２６】
回収タンク本体５１は、前壁５１ａ、後壁５１ｂと両側壁５１ｃ、５１ｄと底壁５１ｅを有する長方形の箱状に形成され、上方に開放された遊技媒体１０の搬入口５１ｆを形成するとともに、底壁５１ｅの略半分割の範囲に遊技媒体１０を搬出するための搬出口５１ｇが形成されている。この搬出口５１ｇの一辺には、シャッター５１ｈが枢支され、搬出口５１ｇを開閉する。また、回収タンク本体５１の両側壁５１ｃ，５１ｄには、スライダとして、上下方向に離隔した複数の突状片である突状壁６１１，６１２・・・６１６が側壁５１ｃ，５１ｄの長手方向に突設されている。また、側壁５１ｃ、５１ｄの上端と前壁５１ａ上端には、各々一対の角孔６１ｊ、６１ｋが形成されている。
【００２７】
前述のシャッター５１ｈは、通常、図４に示すように、底壁５１ｅの形成された搬出口５１ｇと反対側に開放され、搬出口５１ｇを開放しており、遊技媒体回収装置９に不都合が生じ、遊技媒体１０を搬出することができない事態が生じた場合に、搬出口５１ｇを閉塞し、回収タンク本体５１の内部に遊技媒体１０を貯留する。この貯留された遊技媒体１０は、後に関係者が処理する。
【００２８】
アウターケース５２は、開閉扉５２ａ、後壁５２ｂと両側壁５２ｃ、５２ｄと底壁５２ｅを有し、回収タンク本体５１の外形より若干大きめの長方形の箱状に形成され、回収タンク本体５１を抱持する。そして、上縁に回収タンク本体５１の係止口５２ｆを有すると共に、下側に遊技媒体１０を搬出するための搬出口５２ｇを底壁５２ｅのほぼ全域に亘る範囲に形成している。この搬出口５２ｇは、島の下側に設けられている遊技媒体回収装置９に連通されている。
【００２９】
そして、開閉扉５２ａ、後壁５２ｂの下縁には、外側に延出した取付け片５２ｈ、５２ｉが各々形成され、該取付け片５２ｈ、５２ｉによって、筐体１にスクリュー等の任意な方法で固定されている。更に、アウターケース５２の側壁５２ｄの上縁には、遊技媒体１０の衝止片５２ｊが上方に延出して形成されている。側壁５２ｃの上縁には、ガイドとして、内側に折曲された突状片である係合片５２ｋが長手方向に沿って形成され、他方の側壁５２ｄにも、ガイドとして、前述の係合片５２ｋに対応する突状片である係合片５２ｌが内側に打ち抜き折曲されている。また、開閉扉５２ａは、下縁を蝶番５２ｍで外側に開閉可能に枢支され、常時（回収タンク本体５１の収納時）は、蝶番５２ｍのトーションスプリング５２ｎによって、回収タンク本体５１の前壁５１ａを押圧し、開放した状態時には、回収タンク本体５１の挿入口５１ｉを形成するように構成されている。
【００３０】
前記垂直方向位置調整部６１における前記スライダとしての突状壁６１１〜６１６と、ガイドとしての係合片５２ｋ、５２ｌは、前記回収タンク５の回収タンク本体５１を収容するアウターケース５２に前記回収タンク本体５１を高さ調整可能に係合する係合構造を実現する。特に、前記スライダとしての突状壁６１２〜６１６と、ガイドとしての係合片５２ｋ、５２ｌとには、摺接する突状壁６１２〜６１６を係合片５２ｋ、５２ｌから離脱させる切欠部ＬＡＣ１、ＬＡＣ２が相互に形成され、前記アウターケース５２から非分離状態でタンク本体５１の高さ位置を調整可能とする。要するに、図１１を参照すれば、突状壁６１２〜６１６が切欠部ＬＡＣ１を抜け且つ係合片５２ｋ、５２ｌが切欠ＬＡＣ２を抜けて、タンク本体５１をアウターケース５２に対して上下させることができるということである。例えば、前記アウターケース５２にタンク本体５１が挿入されて係合片５２ｋ、５２ｌに突状壁６１２が載置されているとき、タンク本体５１の位置を高くするには、図１１に例示されるように、前記アウターケース５２に対してタンク本体５１の位置を前後にわずかに摺動し、突状壁６１３が切欠部ＬＡＣ１を抜け且つ係合片５２ｋ、５２ｌが切欠ＬＡＣ２を抜けるようにタンク本体５１を上方にずらせばよい。タンク本体５１の位置を低くするには、図１１に例示されるように、前記アウターケース５２に対してタンク本体５１の位置をわずかに摺動し、突状壁６１２が切欠部ＬＡＣ１を抜け且つ係合片５２ｋ、５２ｌが切欠ＬＡＣ２を抜けるようにタンク本体５１を下方にずらせばよい。
【００３１】
次に、垂直方向位置調整部６１を用いて回収タンク本体５１の垂直方向位置調整方法を説明する。先ず、垂直方向の高さを最も低い位置に調整する場合は、図６に示すように、アウターケース５２の開閉扉５２ａをトーションスプリング５２ｎの押圧力に抗して指等で外側の押し広げ、回収タンク本体５１の挿入口５１ｉを開設する。次に、回収タンク本体５１に形成した突状壁（６１１〜６１６）の最上段の突状壁６１１と次の突状壁６１２の間に形成された凹部をアウターケース５２の係合片５２ｋと係合片５２ｌに嵌合し、その状態で回収タンク本体５１をアウターケース５２内にスライド収納させる。これにより、突状壁６１１と係合片５１ｋと係合片５２ｌとの間で係合関係が成立する。その後、収納が完了すると開閉扉５２ａがトーションスプリング５２ｎの付勢で元の状態に復帰し、回収タンク本体５１の前壁５１ａを押圧し、アウターケース５２から回収タンク本体５１が離脱するのを防止している。
【００３２】
図７には垂直方向の高さを調整する方法が示される。（１）は、前述した高さを最も低い位置に設定したもので、この段階では、係合関係は、回収タンク本体５１の突状壁６１１と突状壁６１２と、その間に嵌合した係合片５２ｋと係合片５２ｌによって構成され、回収タンク本体５１は、最も低い位置に設定されている。次に、（２）では、係合関係は、回収タンク本体５１の突状壁６１２と突状壁６１３の間に係合片５２ｋと係合片５２ｌによって構成され、下から２番目に低い位置に設定されている。更に、（３）では、係合関係は、回収タンク本体５１の突状壁６１３と突状壁６１４の間に係合片５２ｋと係合片５２ｌとによって構成され、下から３番目に低い位置に設定されている。更に、（４）では、係合関係は、回収タンク本体５１の突状壁６１４と突状壁６１５の間に係合片５２ｋと係合片５２ｌによって構成され、下から４番目に低い位置に設定されている。（５）では、係合関係は、回収タンク本体５１の突状壁６１５と最下位の突状壁６１６の間に係合片５２ｋと係合片５２ｌとによって構成され、最上段の高さに設定されている。即ち、６本の突状壁（６１１〜６１６）で５段階の高さに調整されている。尚、突状壁の数によって高さを任意の段階に設定することができるのは言うまでもない。
【００３３】
上述のように、前記アウターケース５２に形成されたガイドとしての係合片５２ｋ、５２ｌと、前記ガイドに載置されて摺接可能なスライダとしての突状壁６１１〜６１６とによって前記係合構造を実現することにより、垂直方向位置調整部６１を、回収タンク本体５１とアウターケース５２の製造時に製作することができ、製作工程を増加させる必要は無く、製造コストの増加を防ぐことができる。さらに、前記ガイドとしての係合片５２ｋ、５２ｌとスライダとしての突状壁６１１〜６１６には、摺接するスライダをガイドから離脱させる切欠部ＬＡＣ１，ＬＡＣ２を相互に形成し、前記アウターケース５２から非分離状態でタンク本体５１の高さ位置を調整可能とすることにより、前記アウターケース５２に対するタンク本体５１の高さ位置を調整に対する良好な操作性を実現することができる。
【００３４】
ここで、遊技媒体回収装置９に遊技媒体１０を搬出するために設けられた回収シュート９１の間口９１ａと、筐体１の底板１１に形成された排出口１１ａと、筐体１を載置する膳板９３に形成した回収口９２との関係を図１０で説明する。
【００３５】
一般的に遊技媒体回収装置９は、遊技機１００を並設した島と島の間に配設され、回収シュート９１を介して、各島に配設された遊技機１００と連絡されている。そして、この回収シュート９１の間口９１ａは、遊技機１００の長手方向（遊技機１００が並設されている方向）に長い四角形状に形成されている。そして、その間口９１ａに対応して形成された膳板９３の回収口９２も回収シュート９１の間口と同様に遊技機１００の長手方向に長い楕円形に形成されている。これは、遊技機１００の入れ替えの際等に遊技機１００が並設方向に多少ずれて（機種により幅が若干異なる場合がある）も間口９１ａと回収口９２との連通関係が遮断され、遊技機１００から遊技媒体１０が遊技媒体回収装置９に搬出できなくなるのを回避するためである。
【００３６】
ところが、回収タンク本体５１を収納したアウターケース５２は、他の装置の関係、或いは、回収タンク本体５１の取り扱い（出し入れ）の関係から筐体１の右隅に短手（前後）方向に沿うように配設されるのが一般的である。このため、アウターケース５２に開設されている搬出口５２ｇは、回収タンク本体５１の形状に合うように、アウターケース５２の長手方向（遊技機に対して前後方向）に長方形状に形成されている。
【００３７】
一方、回収タンク本体５１に開設された搬出口５１ｇは、底壁５１ｅの略半分割した範囲に形成されている。従って、この搬出口５１ｇは、アウターケース５２に形成された搬出口５２ｇに略半分が連通され、搬出口５１ｇの残りの略半分は搬出口５２ｇの略半分を覆う状態に配置されている。従って、常時は、搬出口５２ｇの略半分の範囲で膳板９３の回収口９２に連通している。
【００３８】
このため、遊技機１００や島の配置の変更に伴って、遊技機１００の位置や遊技媒体回収装置９の位置が前方に移動した場合、当然、膳板９３に形成した回収口９２も前方に移動し、回収口９２が回収タンク本体５１の底壁５１ｅの盲部分に入り込み、回収口９２と搬出口５１ｇが連通しない状態になる。このような事態が生じた場合には、回収タンク本体５１をアウターケース５２から引き出し、前後を逆にして再度アウターケース５２に挿入すれば、搬出口５１ｇと回収口９２とが連通する。
【００３９】
次に、払い出し装置４と回収タンク５（回収タンク６１、アウターケース６２、垂直方向位置調整部６１）並びに島の下方に設けられた遊技媒体回収装置９との間における遊技媒体１０の流れを説明する。
【００４０】
図８は、払い出し装置４に設けたノズル４５と回収タンク本体５１との高さの違いが大きいため、回収タンク本体５１の高さを三段階目に設定した場合における遊技媒体１０の流れを示したものである。
【００４１】
払い出し装置４に形成された貯留部４１に貯留された遊技媒体１０は、貯留部４１に一定量貯留されるとそれ以上の遊技媒体１０をノズル４５から回収タンク本体５１内に搬出させる。この時に、回収タンク本体５１の搬入口５１ｆはノズル４５の近傍に位置するように垂直方向の位置が調整されているため、遊技媒体１０は、回収タンク本体５１の外に散乱ことなく回収タンク本体５１内に搬入される。この搬入された遊技媒体１０は、常時は開放されている開口５１ｇからアウターケース５２の内部に搬出され、搬出口５２ｇより島の下に設けられている遊技媒体回収装置９に搬出される。
【００４２】
回収タンク本体５１の開口５１ｇからアウターケース５２の内部に搬出された遊技媒体１０は、アウターケース５２の開閉扉５２ａに衝止され、外部に散乱ことなく搬出口５２ｇに導かれる。この時、開閉扉５２ａは、トーションスプリング５２ｎで付勢され、遊技媒体１０を緩衝的に受け止めるため遊技媒体１０を大きく弾くことなく搬出口５２ｇに導かれる。
【００４３】
図９では、払い出し装置４に設けたノズル４５と回収タンク本体５１とが高さ方向で干渉する状態に配置されており、垂直方向位置調整部６１で高さの違いを調整できない場合、即ち実施例２について示したものである。
【００４４】
この例では、払い出し装置４に設けられたホッパーユニット４２が回収タンク本体５１の垂直方向調整範囲にまで伸び、実質的に垂直方向調整（矢印方向）が困難な遊技機に垂直方向位置調整部を備えた回収タンク５を配設した構成を示している。この場合、回収タンク本体５１は、最も低い位置に設定され、本来ノズル４５から搬出された遊技媒体１０は、回収タンク本体５１の内部に搬入され難いが、アウターケース５２に延設した衝止片５２ｊに衝突し、斜め下方に制御され回収タンク本体５１内に搬入される。従って、遊技媒体１０が回収タンク本体５１の外側に散乱したりすることがない。
【００４５】
このように、遊技媒体１０が回収タンク５の外側に散乱して他の装置に影響を与えることはない。
【００４６】
以上本発明者によってなされた発明を実施形態に基づいて具体的に説明したが、本発明はそれに限定されるものではなく、その要旨を逸脱しない範囲において種々変更可能であることは言うまでもない。
【００４７】
例えば、遊技媒体回収装置９に直接遊技媒体１０を搬出させる構成とは別に回収タンク５に遊技媒体１０を貯留し、関係者がその都度回収する形式の物にも使用することができる。この時は、回収タンク本体５１の設けたシャッター５１は閉塞状態にしてある。
【００４８】
また、上記説明では垂直方向位置調整部６１を突状壁と係合片とによる係合構造として説明したが、その他に、回収タンク本体５１側にスライダとして弾性体を、アウターケース５２側にガイドとして嵌合凹部を設け、それらを嵌合することによって、係合構造を実現してもよい。また、スライダを嵌合凹部で、ガイドを弾性体で構成してもよい。また、前記係合構造は、複数離間形成されたガイドを前記アウターケース５２に、前記ガイドに載置されて摺接可能なスライダをタンク本体に形成し、前記ガイドとスライダには、摺接するスライダをガイドから離脱させる切欠部を相互に形成して、前記アウターケースから非分離状態でタンク本体の高さ位置を調整可能にする構成を採用してもよい。
【００４９】
本発明はゲームセンタ等に設置される遊戯機などにも適用可能である。
【図面の簡単な説明】
【００５０】
【図１】本発明の回収タンクを備えた遊技機における各装置の配置を示した正面図である。
【図２】本発明の回収タンクを備えた遊技機における主要構成部品の配置を示した側面概略図である。
【図３】本発明の回収タンクを示した正面図である。
【図４】本発明の回収タンクを示した側面図である。
【図５】本発明の回収タンクを示した上面図である。
【図６】本発明の回収タンクを示した分解斜視図である。
【図７】垂直方向の位置調整状態を示した説明図である。
【図８】遊技媒体の流れを示した説明図である。
【図９】垂直位置調整が不能な構成での遊技媒体の流れを示した説明図である。
【図１０】アウターケースに形成した搬出口と遊技媒体回収装置の回収口の位置関係を示した説明図である。
【図１１】摺接するスライダをガイドから離脱させるためにガイド及びスライダの双方に形成された切欠部とガイド及びスライダとの関係を模式的に示す説明図である。
【符号の説明】
【００５１】
１００  遊技機
１  筐体
２  前面扉
３１  リール
３２  リールボックス
３３  リールボックス支持枠
４  払い出し装置
４１  貯溜部
４５  ノズル
５  回収タンク
５１  回収タンク本体
５２  アウターケース
５２ｋ、５２ｌ  ガイドとしての係合片
６  位置調整機構
６１  垂直方向位置調整部
６１１〜６１６  スライダとしての突状壁
９  遊技媒体回収装置
ＬＡＣ１  ガイドの切欠部
ＬＡＣ２  スライダの切欠部
【図１】
2005143683.tif 000003
【図２】
2005143683.tif 000004
【図３】
2005143683.tif 000005
【図４】
2005143683.tif 000006
【図５】
2005143683.tif 000007
【図６】
2005143683.tif 000008
【図７】
2005143683.tif 000009
【図８】
2005143683.tif 000010
【図９】
2005143683.tif 000011
【図１０】
2005143683.tif 000012
【図１１】
2005143683.tif 000013